(57)【要約】【課題】  水虫治療として足を挿入するだけで紫外線の照射と乾燥した空気により簡単に治療が出来る家庭用の水虫治療器を提供する。【解決手段】  両足を載せるベースプレート２の下部に設けられた空気室３と、前記ベースプレート２上部の足先から甲の部分を覆うカバー１１と、ベースプレート２の一部または全面に設けられた開口部４と、この開口部４の空気室３側に設けられた紫外線ランプ５と、前記空気室３内に温風を送風する送風ファン６を具備した。また、ベースプレート２の両足を載せる領域にそれぞれの足が載せられたことを検知する足センサ１０を設け、この足センサ１０の検知により各足の領域ごとに対応する紫外線ランプ５と、送風ファン６を所定時間動作させる。【選択図】  図１
2006025896.tif 000002
【特許請求の範囲】
【請求項１】
両足を載せるベースプレート（２）の下部に設けられた空気室（３）と、前記ベースプレート（２）上部の足先から甲の部分を覆うカバー（１１）と、ベースプレート（２）の一部または全面に設けられた開口部（４）と、この開口部（４）の空気室（３）側に設けられた紫外線ランプ（５）と、前記空気室（３）内に温風を送風する送風ファン（６）とを具備したことを特徴とする紫外線足治療器。
【請求項２】
ベースプレート（２）の両足を載せる領域にそれぞれの足が載せられたことを検知する足センサ（１０）を設け、この足センサ（１０）の検知により各足の領域ごとに対応する紫外線ランプ（５）と、送風ファン（６）を所定時間動作させることを特徴とする請求項１記載の紫外線足治療器。
【請求項３】
紫外線ランプ（５）を、ベースプレート（２）に載せた足の足指部と踵部に対抗させて配置したことを特徴とする請求項１記載の紫外線足治療器。
【請求項４】
ベースプレート（２）に設けられた開口部（４）の開口率を４０〜９０％としたことを特徴とする請求項１記載の紫外線足治療器。
【請求項５】
ベースプレート（２）は容易に取り外し可能としたことを特徴とする請求項１記載の紫外線足治療器。
【請求項６】
送風ファン（６）により送風される温風の温度は４０℃〜８０℃であることを特徴とする請求項１記載の紫外線足治療器。
【発明の詳細な説明】
【技術分野】
【０００１】
本発明は、家庭用の水虫治療器に関するものである。
【背景技術】
【０００２】
足先や足裏に多く発生する水虫は白癬菌が寄生することによる疾患であり、この白癬菌は紫外線を照射することにより殺菌されることが知られている。
【０００３】
そして、このような水虫を家庭で治療する家庭用の水虫治療器は、図３に示すような構造のものが知られている。すなわち、両足を揃えて載せることができるアッパーケース１０１の下側に、紫外線ランプ１０２、１０３を両足指部に照射するように２本設け、さらに足裏の内側部分を照射する紫外線ランプ１０４を設け、この紫外線ランプ１０２、１０３、１０４からの紫外線を紫外線照射口１０５から足の患部に照射することで白癬菌を死滅させ治療するものである。また、水虫患部は乾燥させることで一層の治療効果が発揮できる為、水虫患部に送風機１０６で外気を送風して紫外線照射口１０５から吹き出し、足の患部を乾燥させて治療する方法を取っている（例えば、特許文献１参照）。
【０００４】
また、図５に示すようにマット２０１にドライヤー脱着孔２０２があり、そこに、家庭用のドライヤー２０３を取り付け、マット２０１には紫外線ランプ２０４が装着され、紫外線ランプ２０４による紫外線の照射とドライヤー２０３の温風による両方の効力により、足裏の患部の乾燥と殺菌を行い水虫を治療する（例えば、特許文献２参照）。
【０００５】
【特許文献１】実用新案登録第３０９０２７３号公報
【０００６】
【特許文献２】実開平５−５１４９号公報
【発明の開示】
【発明が解決しようとする課題】
【０００７】
しかしながら、上記の従来技術において、前者のものは紫外線ランプを両足指部に二本と両足の内側に一本のみしか設けて無い為に、両足内側に設けたランプでは両足外側まで紫外線が照射出来ないと言った問題点があり、特に足の踵部分に照射することができないものであった。
【０００８】
また、水虫患部は乾燥させることで一層の治療効果が発揮できるが、外気の送風だけでは湿度の高い梅雨時や雨の日等では乾燥効果がそれ程期待できないと言った問題点があつた。
【０００９】
また、後者のものは足裏の乾燥と殺菌を同時に行うことができるが、構造的に紫外線の照射量が少なく治療効果が小さいという問題点があった。
【課題を解決するための手段】
【００１０】
本発明は上記の問題を解決するためになされたものであり請求項１では両足を載せるベースプレートの下部に設けられた空気室と、前記ベースプレート上部の足先から甲の部分を覆うカバーと、ベースプレートの一部または全面に設けられた開口部と、この開口部の空気室側に設けられた紫外線ランプと、前記空気室内に温風を送風する送風ファンを具備したものである。
【００１１】
また、請求項２ではベースプレートの両足を載せる領域にそれぞれの足が載せられたことを検知する足センサを設け、この足センサの検知により各足の領域ごとに対応する紫外線ランプと、送風ファンを所定時間動作させるものである。
【００１２】
また、請求項３では紫外線ランプを、ベースプレートに載せた足の足指部と踵部に対抗させて配置したものである。
【００１３】
また、請求項４ではベースプレートに設けられた開口部の開口率を４０〜９０％としたものである。
【００１４】
また、請求項５ではベースプレートは容易に取り外し可能としたものである。
【００１５】
また、請求項６では送風ファンにより送風される温風の温度は４０℃〜８０℃であるものである。
【発明の効果】
【００１６】
本発明の紫外線足治療器は、上記のように構成したことにより、治療は椅子等に腰掛けた状態でできるので楽な姿勢ででき、短時間で治療ができしかも、水虫の患部を乾燥した空気で乾燥しながら治療ができ治療の効果が大きい。と同時に、足裏全体に紫外線ランプを照射することが出来、生き残った残留水虫により再発することがなく完全に水虫を治療することが出来る。
【００１７】
また、両足または片足を載せるだけでセンサにより検知して紫外線ランプが所定時間点灯して治療することができるので、楽な姿勢で簡単に治療することができる。
【００１８】
また、紫外線ランプが水虫のできやすい足の足指部と踵部に効率よく照射されるので、治療効果が高い。
【００１９】
また、ベースプレートに設けられた開口部の開口率を４０〜９０％としたことにより、紫外線ランプの紫外線が患部に効率よく照射されるため治療効果が高いものである。
【００２０】
また、ベースプレートは容易に取り外し可能な構成としたことにより、取り外して清掃することができ清潔に使用することができる。
【００２１】
また、患部に治療効果が高い適度の温風を送風することにより、紫外線照射による殺菌効果を高め、治療効果の高いものにすることができる。
【発明を実施するための最良の形態】
【００２２】
以下、本発明の一実施例を図１、図２を参照して説明する。図１は本発明の一実施例を示す紫外線足治療器の縦断面図、図２は同じく横断面図である。
【００２３】
図において、１は紫外線足治療器。２はベースプレートで、ここに両足を載せて治療を行う。また、ベースプレート２は紫外線足治療器１から容易に取り外し可能な構造にしてあり、取り外して清掃することができ清潔に使用することができるものである。
【００２４】
３は空気室で、ベースプレート２を支持するとともにベースプレート２の下部に設けられた空間である。
【００２５】
４は開口部で、ベースプレート２の両足を載せる部分の一部または全面に設けられていて、後記する紫外線ランプ５の紫外線がまんべんなく足の裏に照射されるように開口率を４０〜９０％としている。
【００２６】
５は紫外線ランプで、石英管の高圧放電管を採用しており、右足用５ａと左足用５ｂとに分かれていて、さらに、各足の足指部と踵部に集中的に照射できるようにベースプレート２の足を載せる部分の真下に各足ごとに２個設けてあり、両足の乗るベースプレート２の開口部４を介して紫外線が照射される。
【００２７】
５ｃは反射板で、紫外線ランプ５の紫外線を効率良く上方の足に照射するように設けられている。
【００２８】
６は送風ファンで、空気室３内に送風するように設けられており、送風ファン６の吸気口は外気を吸気するように空気室３の外部に開口している。また、送風ファン６の吹き出し口には空気を加熱するヒータ７が設けてあり、ヒータ７の吹き出し口側にはヒータ７の吹き出し温度を検知するサーミスタ８が設けてある。そして、このサーミスタ８の信号は後記する制御回路９で所定温度（４０℃〜８０℃）になるようにヒータ７の通電を制御しており、この所定温度の４０℃〜８０℃温風は足を乾燥させ、水虫を治療するのに一番適した温度である。
【００２９】
９は制御回路で、紫外線ランプ５の照射時間や、送風ファン６の送風時間、送風温度等を制御している。
【００３０】
１０は足センサで、ベースプレート２の両足の乗る部分に設けられており、右足と左足の片方が載せられても検知できるように、足センサ１０は右足用の足センサ１０ａと左足用の足センサ１０ｂで構成されている。
【００３１】
１１はカバーで、ベースプレート２の上部に足先から甲の部分を覆うように設けられていて、紫外線ランプ５の紫外線が足の水虫を治療する人の目に照射されないようにしている。
【００３２】
次に以上の構成による作用を説明する。
【００３３】
最初に紫外線足治療器の電源スイッチ（図示せず）をＯＮして制御回路９に電源を入れ、右足を治療する場合は紫外線足治療器のベースプレート２の右側に足を入れて載せる。両足を治療する場合は両足を紫外線足治療器のベースプレート２に入れて載せる。
【００３４】
そして、右足の片方の足を治療する場合は紫外線足治療器の右側に足を入れてベースプレート２に載せると、右の足センサ１０ａが感知して送風ファン６が駆動し同時に右足用の紫外線ランプ５ａが点灯する。また、両方の足を入れると両方の足センサ１０ａ、１０ｂが感知して、全部の紫外線ランプ５ａ、５ｂが点灯し、送風ファン６とヒータ７が通電され温風がベースプレート２に設けられた開口部４を通して足に吹き付けられ、足を乾燥させると同時にと紫外線ランプ５の紫外線が照射される。
【００３５】
このようにして送風ファン６とヒータ７が動作し、同時に紫外線ランプ５が点灯して治療が所定時間行われると、ブザー(図示せず)が鳴って送風ファン６とヒータ７の動作が停止すると同時に紫外線ランプ５が消灯する。
【００３６】
治療を更に続行したい場合は足を入れたままの状態で再スタートスイッチ(図示せず)をＯＮにするか、一旦足を出して再挿入すればよい。
【００３７】
このように、上記のような構成にすることにより、治療は椅子等に腰掛けた状態で足を紫外線足治療器１に挿入することによりできるので楽な姿勢で短時間で治療ができ、しかも、水虫の患部を乾燥した空気で乾燥しながら、治療ができるため治療の効果が大きい。
【００３８】
また、同時に足裏全体に紫外線ランプ５を照射することが出来るため、生き残った残留水虫により再発することがなく完全に水虫を治療することが出来る。
【００３９】
また、両足または片足を載せるだけで足センサ１０により検知して紫外線ランプ５が所定時間点灯して治療することができるので、楽な姿勢で簡単に治療することができる。
【００４０】
また、紫外線ランプ５の紫外線が水虫のできやすい足の足指部と踵部に効率よく照射されるので、治療効果が高い。
【００４１】
また、ベースプレート２に設けられた開口部４の開口率を４０〜９０％としたことにより、紫外線ランプ５の紫外線が患部に効率よく照射されるため治療効果が高いものである。
【００４２】
また、ベースプレート２は容易に取り外し可能な構成としたことにより、取り外して清掃することができ清潔に使用することができる。
【００４３】
また、患部に治療効果が高い適度の温風を送風することにより、紫外線照射による殺菌効果を高めて治療効果を高くすることができる。
【図面の簡単な説明】
【００４４】
【図１】本発明の一実施例を示す紫外線足治療器の縦断面図である。
【図２】同じく横断面図である。
【図３】従来の紫外線足治療器の平面図である。
【図４】従来の紫外線足治療器の分解図である。
【図５】従来の紫外線足治療器の斜視図である。
【符号の説明】
【００４５】
２  ベースプレート
３  空気室
４  開口部
５  紫外線ランプ
６  送風ファン
１０  足センサ
１１  カバー
【図１】
2006025896.tif 000003
【図２】
2006025896.tif 000004
【図３】
2006025896.tif 000005
【図４】
2006025896.tif 000006
【図５】
2006025896.tif 000007